(57)【要約】【課題】簡単な操作で輸液スタンドのポールに取り付け、又はポールから取り外すことができ、且つ簡単な構造を有するクランプ装置を提供する。【解決手段】クランプ装置１は、軸部材１１の移動を規制する規制部材１９を備え、当該規制部材１９は、軸部材１１の移動方向を規定し、貫通孔４３に遊挿された軸部材１１を収容する収容溝５７を有する第一のハーフナット半部４７と、軸部材１１の雄ネジ３１と噛合する雌ネジ７３が形成された噛合溝７５を有する第二のハーフナット半部４９とを備え、噛合溝７５に形成された雌ネジ７３が、軸部材１１の雄ネジ３１と噛合する噛合状態と、第二のハーフナット半部４９の溝に形成された雌ネジ７３が、第一のハーフナット半部４７の収容溝５７に収容された軸部材１１の雄ネジ３１と噛み合っていない非噛合状態との二つの形態をとるように構成されている。【選択図】図７
2013257004.tif 000002
【特許請求の範囲】
【請求項１】
外周に雄ネジが形成された軸部材と、
この軸部材の一端に取り付けられた第一のクランプ部材と、
この軸部材の他端に固定されたノブと、
前記第一のクランプ部材と協働して輸液スタンドのポールを挟むクランプ部、及び前記軸部材を遊挿するための貫通孔が形成された基部を有する第二のクランプ部材と、を備え、
前記軸部材の一端に取り付けられた第一のクランプ部材が、前記第二のクランプ部材の前記基部と前記クランプ部との間に配置されるように、前記軸部材を第二のクランプ部材に形成された貫通孔に遊挿し、
前記軸部材を当該軸部材の軸方向に移動させることで前記第一のクランプ部材を前記第二のクランプ部材の前記クランプ部に対して近付け、これにより、前記第一のクランプ部材及び前記第二のクランプ部材によって前記ポールを挟み込むように構成されたクランプ装置であって、
前記第二のクランプ部材の前記基部に固定され、前記軸部材の移動を規制する規制部材を備え、
当該規制部材は、
前記軸部材の移動方向を規定し、前記貫通孔に遊挿された前記軸部材を収容する溝を有する第一のハーフナット半部と、
前記軸部材の雄ネジと噛合する雌ネジが形成された溝を有する第二のハーフナット半部とを備え、
第二のハーフナット半部の溝に形成された雌ネジが、第一のハーフナット半部の溝に収容された軸部材の雄ネジと噛合する噛合状態と、第二のハーフナット半部の溝に形成された雌ネジが、第一のハーフナット半部の溝に収容された軸部材の雄ネジと噛み合っていない非噛合状態との二つの形態をとるように構成されている、クランプ装置。
【請求項２】
前記第二のハーフナット半部は、前記第一のハーフナット半部に対して揺動可能に取り付けられており、
前記規制部材は、さらに、前記第二のハーフナット半部を、非噛合状態から噛合状態に向けて付勢する付勢部材を備えている、請求項１に記載のクランプ装置。
【請求項３】
前記第一のハーフナット半部、及び前記第二のハーフナット半部の各々は、使用者が規制部材を対向方向から掴んで当該規制部材を把持するための把持面を有しており、前記規制部材は、前記第一のクランプ部材及び前記第二のクランプ部材によって前記ポールを挟み込んだときに、当該把持面が水平になる向きで前記第二のクランプ部材の前記基部に固定されている、請求項１又は２に記載のクランプ装置。
【発明の詳細な説明】
【技術分野】
【０００１】
本発明は、クランプ装置に関し、特に、輸液ポンプを輸液スタンドに取り付けるために使用するクランプ装置に関する。
【背景技術】
【０００２】
従来から、医療現場において、例えば点滴に際して輸液をするときに、輸液速度や輸液量を調整するための輸液ポンプが用いられている。輸液ポンプは、複数のローラを順次移動させて輸液チューブに蠕動運動を与えることで輸液チューブ内の薬液を定量的に送り出すように構成されている。そしてこのような輸液ポンプは、所定の取り付け具を用いて車輪付きの輸液スタンドに取り付けられており、患者が移動するときに輸液ポンプを容易に搬送できるようにしている。
【０００３】
輸液ポンプは、例えば、緊急の場合や重症の場合など、一度に多数の輸液ポンプなどを輸液スタンドに取り付けるような状況で着脱する必要があるため、容易に着脱が行えることが望ましい。その一方で、輸液ポンプが輸液スタンドから落下すると重大な事故に発展する恐れがあるため、輸液ポンプをしっかりと輸液スタンドに取り付けられることが望ましい。
【０００４】
そして、輸液ポンプを輸液スタンドに取り付けるための装置としては、例えば特許文献１に記載されたものが知られている。
【先行技術文献】
【特許文献】
【０００５】
【特許文献１】国際公開番号２００８／１３９９５１号
【０００６】
特許文献１に記載されたクランプ装置は、主体軸の一端側に設けられた回転ノブと操作部とを備えている。このクランプ装置では、回転ノブを回転させることによって主体軸の他端側に形成された雄ネジ駒と雄ネジ部との噛合状態を解除し、操作部を回転ノブ側に引っ張ることで、把持部材を主体軸の軸線方向に自在に移動させることができるようになっている。そしてこれにより、簡単な操作でクランプ装置を輸液スタンドのポールから取り外せるようにしている。
【発明の概要】
【発明が解決しようとする課題】
【０００７】
本発明は、簡単な操作で輸液スタンドのポールに取り付け、又はポールから取り外すことができ、且つ簡単な構造を有するクランプ装置を提供することを目的とする。
【課題を解決するための手段】
【０００８】
上述した課題を解決するために、本発明は、外周に雄ネジが形成された軸部材と、この軸部材の一端に取り付けられた第一のクランプ部材と、軸部材の他端に固定されたノブと、第一のクランプ部材と協働して輸液スタンドのポールを挟むクランプ部、及び軸部材を遊挿するための貫通孔が形成された基部を有する第二のクランプ部材と、を備え、軸部材の一端に取り付けられた第一のクランプ部材が、第二のクランプ部材の基部とクランプ部との間に配置されるように、軸部材を第二のクランプ部材に形成された貫通孔に遊挿し、軸部材を当該軸部材の軸方向に移動させることで第一のクランプ部材を第二のクランプ部材のクランプ部に対して近付け、これにより、第一のクランプ部材及び第二のクランプ部材によってポールを挟み込むように構成されたクランプ装置であって、第二のクランプ部材の基部に固定され、軸部材の移動を規制する規制部材を備え、当該規制部材は、軸部材の移動方向を規定し、貫通孔に遊挿された軸部材を収容する溝を有する第一のハーフナット半部と、軸部材の雄ネジと噛合する雌ネジが形成された溝を有する第二のハーフナット半部とを備え、第二のハーフナット半部の溝に形成された雌ネジが、第一のハーフナット半部の溝に収容された軸部材の雄ネジと噛合する噛合状態と、第二のハーフナット半部の溝に形成された雌ネジが、第一のハーフナット半部の溝に収容された軸部材の雄ネジと噛み合っていない非噛合状態との二つの形態をとるように構成されている。
【０００９】
このように構成された本発明によれば、第一のハーフナット半部及び第二のハーフナット半部を有する規制部材によって、軸部材の軸方向での移動を規制することができる。そして、規制部材の非噛合状態で第二のクランプ部材に対する第一のクランプ部材の位置を調整した後、規制部材を噛合状態にする、という簡単な操作でクランプ装置を輸液スタンドのポールに取り付けることができる。また、規制部材の噛合状態を解除して規制部材を非噛合状態にすることで、クランプ装置を輸液スタンドのポールから容易に取り外すことができる。
【発明の効果】
【００１０】
以上のように本発明によれば、簡単な操作で輸液スタンドのポールに取り付け、又はポールから取り外すことができ、且つ簡単な構造を有するクランプ装置を提供することができる。
【図面の簡単な説明】
【００１１】
【図１】本発明の実施形態によるクランプ装置の使用状態の一例を示す斜視図である。
【図２】本発明の実施形態によるクランプ装置を示す斜視図である。
【図３】本発明の実施形態によるクランプ装置を示す斜視図である。
【図４】本発明の実施形態による第一のクランプ部材、ノブ、及び軸部材を示す斜視図である。
【図５】本発明の実施形態による第二のクランプ部材を示す斜視図である。
【図６】本発明の実施形態による規制部材を示す斜視図である。
【図７】本発明の実施形態による規制部材を示す断面図である。
【図８】本発明の実施形態による規制部材を示す断面図である。
【図９】本発明の実施形態によるクランプ装置をポールに取り付けるための動作を説明するための概略図である。
【発明を実施するための形態】
【００１２】
以下、図面を参照して、本発明の実施形態によるクランプ装置について説明する。
図１は、本発明の実施形態によるクランプ装置の使用状態の一例を示す斜視図である。
【００１３】
まず、図１に示すように、クランプ装置１は、蠕動運動を用いて薬液を定量的に送り出す輸液ポンプ３を輸液スタンドのポール５に取り付けるために使用される。輸液ポンプ３は、一般的に縦長な箱形を有しており、その上部には、取っ手７が取り付けられている。また、輸液ポンプ３は、その下部に輸液ポンプ台９を備えており、クランプ装置１は、この輸液ポンプ３の輸液ポンプ台９をポール５に取り付けるために使用される。
【００１４】
図２及び３は、クランプ装置を示す斜視図である。
クランプ装置１は、軸部材１１と、軸部材１１の一端（遠位端）に取り付けられた第一のクランプ部材１３と、軸部材１１の他端（近位端）に固定されたノブ１５と、第二のクランプ部材１７とを備えている。第一のクランプ部材１３とノブ１５は、それぞれ軸部材１１に取り付けられ、又は固定されており、これら第一のクランプ部材１３、ノブ１５、及び軸部材１１は、一体的に、第二のクランプ部材１７に対して相対移動できるようになっている。クランプ装置１は、さらに、第二のクランプ部材１７に固定され、軸部材１１の移動を規制するための規制部材１９を備えている。
【００１５】
尚、本明細書では、クランプ装置１を操作するときに使用者の手に近い側、即ち軸部材１１の延伸方向におけるノブ１５が形成されている側を「近位側」と定義し、これと反対側を「遠位側」と定義して詳細な説明を行う。また、本明細書における「上」又は「下」は、クランプ装置１をポール５に取り付けた状態での垂直方向上又は下を意味する。
【００１６】
図４は、第一のクランプ部材、ノブ、及び軸部材を示す斜視図である。
第一のクランプ部材１３は、遠位方向に延びる一対の爪２１を有する上部材２３と、上部材２３と同様の形状を有する下部材２５と、上部材２３及び下部材２５を連結する壁部材２７とを備えており、これら上部材２３、下部材２５、及び壁部材２７は、一体形成されている。上部材２３及び下部材２５に各々設けられた一対の爪２１は、輸液スタンドのポール５を挟み込むためのものであり、一対の爪２１の間隔は１６〜３２ｍｍ程度である。壁部材２７の上下方向中央には、軸部材１１の遠位端を遊挿できる孔２９が形成されている。
【００１７】
軸部材１１は、約１００ｍｍ程度の長さを有し、その遠位端には、第一のクランプ部材１３が揺動可能に取り付けられ、近位端には、ノブ１５が固定されている。また、軸部材１１の外周には、雄ネジ３１が螺旋状に形成されている。軸部材１１の遠位端近傍は、他の部分よりも小さい径を有しており、この小径部３３は、第一のクランプ部材１３の壁部材２７に形成された孔２９に遊挿される。そして小径部３３の遠位端には、軸部材１１と直交方向に延びるピン３５が嵌入されている。このピン３５は、軸部材１１の小径部３３を壁部材２７の孔２９に遊挿した後に嵌入される。そして、壁部材２７の孔２９の径は、軸部材１１の小径部３３の径よりも大きく、且つ軸部材１１の他の部分の径よりも小さくなっており、これにより、第一のクランプ部材１３は、軸部材１１の小径部３３と軸部材１１の本体との間の段差によって形成される壁と、ピン３５との間で、軸部材１１の軸方向に揺動可能に保持されている。また、軸部材１１の小径部３３は、第一のクランプ部材１３の孔２９に遊挿されているだけなので、軸部材１１が回転しても第一のクランプ部材１３は、同調して回転しないようになっている。
【００１８】
図５は、第二のクランプ部材を示す斜視図である。第二のクランプ部材１７は、上面視したときに略コ字状の形状を有しており、その遠位端側には、第一のクランプ部材１３と協働して輸液スタンドのポール５を挟むクランプ部３７が形成されており、その近位端側には、軸部材１１及び規制部材１９の遠位端部を挿入するための貫通孔４３が形成された基部４５が形成されている。また、クランプ部３７と基部４５は、軸部材１１の軸方向に延びる壁４１によって連結されており、この壁４１は、ボルト等を用いて輸液ポンプの輸液ポンプ台９に取り付けられるようになっている。
【００１９】
クランプ部３７は、上面視したときに屈折した形状を有しており、第一のクランプ部材１３の一対の爪２１と協働して、ポール５を挟み込めるようになっている。また、基部４５の上下方向中央には、貫通孔４３が形成されている。貫通孔４３には、規制部材１９の遠位端部及びこの規制部材１９内部に収容されている軸部材１１が挿入される。
【００２０】
図６は、規制部材を示す斜視図であり、図７及び８は、規制部材を示す断面図である。クランプ装置１は、この規制部材１９の外観に特徴を有している。
【００２１】
図６に示すように、規制部材１９は、第一のハーフナット半部４７と、第二のハーフナット半部４９とを備えており、これら二つの部材４７，４９を連結して構成されている。第一のハーフナット半部４７は、板状の本体５１と、本体５１の遠位端側に形成された遠位壁５３とを備えている。本体５１の底面５５には、軸部材１１を収容するための収容溝５７が形成されている。この収容溝５７は、半円形断面を有しており、その表面には、ねじ山は形成されていない。そして収容溝５７は、第一のハーフナット半部４７の近位端から遠位端にわたって延びている。また、第一のハーフナット半部４７の遠位壁５３には、軸部材１１を遊挿するための貫通孔５９が形成されている。この貫通孔５９は、本体５１の収容溝５７と同一の径を有し、貫通孔５９の周面の一部は、本体の収容溝５７と面一に形成されている。また、第一のハーフナット半部４７の側面には、第一のハーフナット半部４７と第二のハーフナット半部４９とを連結する連結具６１を取り付けるための孔６３が穿設されている。また、第一のハーフナット半部４７の底面５５には、付勢部材としてのコイルバネ６５を収容するための収容部６７が形成されている。この収容部６７は、第一のハーフナット半部４７の底面５５における、近位端の近くに形成されている。
【００２２】
第二のハーフナット半部４９は、板状の本体６９を備えている。この本体６９における第一のハーフナット半部４７の底面５５と接触する上面７１には、軸部材１１の雄ネジ３１と噛合する雌ネジ７３が形成された噛合溝７５が形成されている。この噛合溝７５は、半円形断面を有しており、雌ネジ７５は、噛合溝７５の表面に形成されている。噛合溝７５は、第二のハーフナット半部４９の遠位端から近位端に向けて、第二のハーフナット半部４９の中央近傍まで延びている。そして噛合溝７５よりも近位端側には、所定の場合に軸部材１１を待避させるための待避部７７が形成されている。待避部７７は、矩形断面を有する溝であり、噛合溝７５よりも深い。そして待避部７７は、噛合溝７５よりも近位端側から、第二のハーフナット半部４９の本体６９の近位端まで延びている。また、第二のハーフナット半部４９の上面７１よりも近位端側には、傾斜面７９が形成されている。傾斜面７９は、噛合溝７５が終端する位置よりも近位端側の所定位置から噛合溝７５及び待避部７７の深さ方向に向けて傾斜している。また、第二のハーフナット半部４９の側面には、第一のハーフナット半部４７の側面と同様に、連結具６１を取り付けるための孔８１が穿設されている。この孔８１は、第二のハーフナット半部４９を上面視したときに、その中心が上面７１と傾斜面７９との境界線８３と重なる位置に形成されている。また、第二のハーフナット半部４９の傾斜面７９には、コイルバネ６５を収容するための収容部８５が形成されている。
【００２３】
連結具６１は、コ字形状を有しており、その二本の脚のそれぞれに複数のビス８７が貫入される。複数のビス８７は、それぞれ、第一のハーフナット半部４７、及び第二のハーフナット半部４９の側面に形成された孔６３，８１に挿入される。連結具６１を規制部材１９に取り付けた状態では、連結具６１は規制部材１９に密着し、第一のハーフナット半部４７の両側面及び上面を包囲する。これにより、第二のハーフナット半部４９は、上面７１と傾斜面７９との境界線８３を中心にして、第一のハーフナット半部４７に対して揺動できる。
【００２４】
図７及び８は、第一のハーフナット半部と第二のハーフナット半部とを重ね合わせた状態を示す図面であり、図６のI-I断面の断面図である。
【００２５】
図７及び８に示すように、第一のハーフナット半部４７と第二のハーフナット半部４９とを重ね合わせると、第一のハーフナット半部４７の収容溝５７及び貫通孔５９と、第二のハーフナット半部４９の噛合溝７５及び待避部７７が、規制部材１９を貫通する一つの貫通孔８９を形成する。この貫通孔８９の径は、軸部材１１の雄ネジ３１が噛合溝７５の雌ネジ７３と噛み合ったときに、軸部材１１が軸方向に摺動できなくなるように寸法決めされている。
【００２６】
図７は、軸部材１１の雄ネジ３１と、噛合溝７５の雌ネジ７３とを噛合させた噛合状態を示す。尚、説明の便宜上、図７、及び後述する図８では軸部材１１の図示を省略する。
【００２７】
噛合状態では、軸部材１１は、軸方向に摺動できない。噛合状態では、第一のハーフナット半部４７の低面５５と、第二のハーフナット半部４９の上面７１とが接触し、第二のハーフナット半部４９の傾斜面７９が第一のハーフナット半部４７の低面５５から離れている。このときコイルバネ６５は、定常状態となっている。そして噛合状態では、噛合溝７５の雌ネジ７３が、軸部材１１の軸方向に沿って配列される。これにより、噛合溝７５の雌ネジ７３が、軸部材１１の軸方向に配列された雄ネジ３１と噛み合い、軸部材１１が軸方向に摺動できなくなる。そして噛合状態で軸部材１１を軸方向に移動させるためには、ノブ１５を軸部材１１の軸周りに回転させることが必要となる。
【００２８】
図８は、軸部材１１の雄ネジ３１と、噛合溝７５の雌ネジ７３とが噛合していない非噛合状態を示し、非噛合状態では、軸部材１１は、軸方向に自由に摺動できる。非噛合状態では、第一のハーフナット半部４７の底面５５と、第二のハーフナット半部４９の傾斜面７９とが接触し、第二のハーフナット半部４９の上面７１が第一のハーフナット半部４７の底面５５から離れている。このときコイルバネ６５は圧縮状態となっている。そして非噛合状態では、噛合溝７５の雌ネジ７３が、軸部材１１の軸方向に対して下向きに角度をもって配列される。これにより、噛合溝７５の雌ネジ７３が、軸部材１１の雄ネジ３１とは噛み合わなくなる。噛合溝７５の雌ネジ７３が、軸部材１１の雄ネジ３１とは噛み合っていない状態では、軸部材１１の軸方向への摺動が雄ネジ３１及び雌ネジ７３によって規制されないので、使用者が自由に軸部材１１を軸方向に摺動させることができる。
【００２９】
次に、上述のクランプ装置の作用について詳述する。
図９は、クランプ装置をポールに取り付けるための動作を説明するための概略図である。
【００３０】
先ず、図９（ａ）に示すように、第一のクランプ部材１３と、第二のクランプ部材１７のクランプ部３７との間にポール５が位置するような位置で、クランプ装置１を保持する。このとき、第一のハーフナット半部４７の上面の近位端付近に人差し指を添え、第二のハーフナット４９の底面の近位端付近に親指を添え、残りの指でノブ１５を掴むようにする。
尚、このときコイルバネ６５の作用によって規制部材１９は噛合状態になっている。また、図９に示す状態では、規制部材１９の上面と底面を水平に保持し、これにより、第二のハーフナット半部４９が揺動するときの軸（上面と傾斜面の境界線８３）を水平に保持することが好ましい。
【００３１】
次に、図９（ｂ）に示すように、人差し指と親指で規制部材１９をつまむことで、コイルバネ６５の作用に反して規制部材１９を非噛合状態にする。これにより、軸部材１１は、軸方向に自由に摺動できるようになる。そしてこの状態で残りの指でノブ１５を遠位端側に押し込むことで第一のクランプ部材１３をポール５の方向に移動させ、第一のクランプ部材１３と第二のクランプ部材１７のクランプ部３７によってポール５を把持する。
【００３２】
次に、図９（ｃ）に示すように、人差し指と親指を脱力してコイルバネ６５の力によって規制部材１９を噛合状態とする。これにより、軸部材１１の軸方向への摺動を規制することができるので、クランプ装置１をポール５に固定することができる。また、第一のクランプ部材１３の押し込みが不十分な場合には、ノブ１５を回転させて軸部材１１を遠位方向に並進させることで第一のクランプ部材１３を遠位方向に押し込むことができる。
【００３３】
また、クランプ装置１を外す場合には、先ず、第一のハーフナット半部４７の上面の近位端付近に人差し指を添え、第二のハーフナット４９の底面の近位端付近に親指を添える。このとき、例えばクランプ装置１を保持していない手で輸液ポンプ３の取っ手７を把持することが好ましい。次に、噛合状態にある規制部材１９を掴むことで、規制部材１９を非噛合状態にする。そして、規制部材１９を掴みながら残りの指でノブ１５を近位方向に引っ張る。これにより、第一のクランプ部材１３が近位方向に引っ張られ、ポール５から離れる。
【００３４】
以上のように本発明のクランプ装置によれば、簡単な操作でクランプ装置１をポール５に取り付けることができる。また、クランプ装置１は、従来用いられていたものと比較して部品点数が少なく、構造が簡潔であり、且つ容易に組み立てることができるため、クランプ装置の製造コストを抑制することができる。
【００３５】
また、上述したようにクランプ装置１は、片手で操作することができるため、例えば片方の手でクランプ装置１を操作しながらもう一方の手で輸液ポンプ３を持つことができる。これにより、クランプ装置１をポール５から外した弾みで輸液ポンプ３が落下するのを防止することができる。さらに、規制部材１９の上面と底面が水平に保持して、第二のハーフナット半部４９が揺動する軸が水平になるように、クランプ装置１をポール５に取り付けることで、例えば規制部剤１９の下側に親指を添えて操作を行える。これにより、よりしっかりとクランプ装置１をしっかりと保持することができ、クランプ装置１の操作時にクランプ装置１及び輸液ポンプ３の両方をしっかりと支えることができる。
【符号の説明】
【００３６】
１    クランプ装置
１１    軸部材
１３    第一のクランプ部材
１５    ノブ
１７    第二のクランプ部材
１９    規制部材
３１    雄ネジ
３７    クランプ部
４７    第一のハーフナット半部
４９    第二のハーフナット半部
５７    収容溝
７３    雌ネジ
７５    噛合溝
【図１】
2013257004.tif 000003
【図２】
2013257004.tif 000004
【図３】
2013257004.tif 000005
【図４】
2013257004.tif 000006
【図５】
2013257004.tif 000007
【図６】
2013257004.tif 000008
【図７】
2013257004.tif 000009
【図８】
2013257004.tif 000010
【図９】
2013257004.tif 000011